(57)【要約】【課題】ネジ式口金を有するＬＥＤ光源体において、ネジ式口金の締結姿勢に対応して、照明部のＬＥＤの光軸を所望の照射方向へ、緩むことのない回動機構により配光できるＬＥＤ光源体を提供すること。【解決手段】ネジ式口金１を有する口金保持部２の有底円筒部２ｂの周面に長溝２ｅを貫設する。有底円筒部２ｂの内周に遊嵌される回動案内盤４と箱体６とを接合する。箱体６の上面から垂直面内に各列のＬＥＤ５ｂの光軸を配光したＬＥＤ基板５を箱体６に内設する。箱体６の上面と有底円筒部２ｂの内周に位置決めされる半円筒体７ａと、該半円筒体７ａの頂部に設けたネジ螺合部７ｂと、有底円筒部２ｂの外周円弧面に着座する押さえ金７ｃと、座金７ｄを伴う止めネジ７ｅと、有底円筒部２ｂの長溝２ｅとで構成される回動機構７が、止めネジ７ｅのネジ螺合部７ｂへの締結によって、口金保持部２に対して照明部３が所望の姿勢に保持される。【選択図】図１
0003169329.tif 000002
【実用新案登録請求の範囲】
【請求項１】
ネジ式口金を保持する口金保持部と、該口金保持部に対してネジ込み軸心を中心に回動機構を介して回動自在に接合される照明部と、該照明部に内設され、各ＬＥＤが前記ネジ込み軸心と平行な水平面内で、その光軸を各垂直面内に配列するＬＥＤ基板とから成るＬＥＤ光源体において、
前記口金保持部が、一方に突設する中空軸にネジ式口金が外嵌固定され、他方に有底円筒部を一体に連接し、底部中心に開口する挿通口を前記ネジ式口金の内部に連通し、該有底円筒部の周面に所要周長に渡って長溝を貫設して成り、
前記照明部が、一方に前記有底円筒部の挿通口に内嵌する中空軸を突設し、他方に連接される円盤部を該有底円筒部の内周に遊嵌し、該円盤部の盤面に前記中空軸の内部に連通する連通口を開口して成る回動案内盤と、該回動案内盤の回動軸心を含む水平面にその上面を一致させ、外周を前記有底円筒部の内周に案内される円弧面とした平面視矩形状で、その前壁に設けたＵ溝を前記連通口に連通し、その内部に前記のＬＥＤ基板が収められた箱体とが一体に接合されて成り、
前記回動機構が、その外周面が前記有底円筒部の内周に嵌着され、その内側面が前記回動案内盤の円盤部の外面に当接され、その下端が前記箱体の上面に着座される半円筒体と、該半円筒体の軸心方向で有底円筒部の長溝の中心に合致する部位に設けるネジ螺合部と、該有底円筒部の外周円弧面に着座し、中心にネジ挿通孔が貫設された押さえ座と、該押さえ座の上面に係着される座金と、該座金から前記ネジ螺合部に螺着される止めネジとから成るＬＥＤ光源体。
【請求項２】
前記ＬＥＤ基板が、ネジ込み軸心と平行な水平面に対して、所要角度だけ前傾降下する傾斜面内で、各ＬＥＤの光軸を各垂直面内に配列して成る請求項１記載のＬＥＤ光源体。
【考案の詳細な説明】
【技術分野】
【０００１】  本考案は、ネジ式口金（エジソンベース）を有するＬＥＤ光源体に関する。
【背景技術】
【０００２】  ネジ式口金を有する電球形ＬＥＤ光源において、ネジ式口金のネジ込み軸心と平行な面上で該面に垂直方向に光軸を有するＬＥＤを多数設け、ネジ式口金の締結状態でＬＥＤの光軸を所望の照射方向へ調節し得る技術が、特開２００５−２７６４６７号公報（特許文献１）に開示されている。しかし、この特許文献１に開示された電球形ＬＥＤ光源の回転機構は、電球口金を保持する筐体５０３の内面に周設した凹溝に、ＬＥＤを保持する筐体５０４に設けたピン５０１を係合し、ストッパー５０２で筐体５０３に対する筐体５０４の回転を規制するものであるが、筐体５０３に対する筐体５０４の具体的な固定手段が明示されず、漁船などの船上での照明では、船の揺動によって照射方向がずれ動く問題がある。
【先行技術文献】
【特許文献】
【０００３】
【特許文献１】特開２００５−２７６４６７号公報
【考案の概要】
【考案が解決しようとする課題】
【０００４】  本考案は、ネジ式口金を有するＬＥＤ光源体において、ネジ式口金の締結姿勢に対応して、照明部のＬＥＤの光軸を所望の照射方向へ緩むことのない回動機構により配光できるＬＥＤ光源体を提供するものである。
【課題を解決するための手段】
【０００５】  本考案の請求項１に記載したＬＥＤ光源体は、ネジ式口金を保持する口金保持部と、該口金保持部に対してネジ込み軸心を中心に回動機構を介して回動自在に接合される照明部と、該照明部に内設され、各ＬＥＤが前記ネジ込み軸心と平行な水平面内で、その光軸を各垂直面内に配列するＬＥＤ基板とから成るＬＥＤ光源体において、
前記口金保持部が、一方に突設する中空軸にネジ式口金が外嵌固定され、他方に有底円筒部を一体に連接し、底部中心に開口する挿通口を前記ネジ式口金の内部に連通し、該有底円筒部の周面に所要周長に渡って長溝を貫設して成り、
前記照明部が、一方に前記有底円筒部の挿通口に内嵌する中空軸を突設し、他方に連接される円盤部を該有底円筒部の内周に遊嵌し、該円盤部の盤面に前記中空軸の内部に連通する連通口を開口して成る回動案内盤と、該回動案内盤の回動軸心を含む水平面にその上面を一致させ、外周を前記有底円筒部の内周に案内される円弧面とした平面視矩形状で、その前壁に設けたＵ溝を前記連通口に連通し、その内部に前記のＬＥＤ基板が収められた箱体とが一体に接合されて成り、
前記回動機構が、その外周面が前記有底円筒部の内周に嵌着され、その内側面が前記回動案内盤の円盤部の外面に当接され、その下端が前記箱体の上面に着座される半円筒体と、該半円筒体の軸心方向で有底円筒部の長溝の中心に合致する部位に設けるネジ螺合部と、該有底円筒部の外周円弧面に着座し、中心にネジ挿通孔が貫設された押さえ座と、該押さえ座の上面に係着される座金と、該座金から前記ネジ螺合部に螺着される止めネジとから成る。
また、請求項２に記載したＬＥＤ光源体は、請求項１記載のＬＥＤ光源体において、前記ＬＥＤ基板が、ネジ込み軸心と平行な水平面に対して、所要角度だけ前傾降下する傾斜面内で、各ＬＥＤの光軸を各垂直面内に配列して成る。
【考案の効果】
【０００６】  本考案のＬＥＤ光源体によれば、ネジ式口金を保持する有底円筒部に対して、半円筒体を長溝を介してネジ式口金のネジ込み軸心を中心に左右へ回動すると、該半円筒体と共に照明部も左右に回動されるから、前記ネジ式口金の締結姿勢に対応して、照明部の姿勢を止めネジ１本の締結により、所望の照射方向へ確保できる効果がある。このほか、有底円筒部に対して半円筒体を固定することにより、該半円筒体の軸心方向の内側面が有底円筒部からの回動案内盤の抜け止めを図る効果をも奏する。
【図面の簡単な説明】
【０００７】
【図１】本考案に係るＬＥＤ光源体Ａの分解状態の説明図。
【図２】図１における口金保持部２の右側面図。
【図３】図１における半円筒体７ａの右側面図。
【図４】図１におけるＬＥＤ基板５を内設した箱体６の平面図。
【図５】図１における回動案内盤４の説明図で、（ａ）はその左側面図、（ｂ）はその右側面図。
【図６】本考案のＬＥＤ光源体Ａの右側面図。
【図７】本考案のＬＥＤ光源体Ａの要部を破断した組立図。
【図８】本考案のＬＥＤ光源体Ａの使用状態の説明図。
【図９】口金保持部２に対する回動案内盤４の抜け止めの他の実施態様を示す説明図。
【考案を実施するための形態】
【０００８】  本考案のＬＥＤ光源体を構成する口金保持部と、回動案内盤と、箱体と、半円筒体及び押さえ座はそれぞれ合成樹脂製の射出成形品である。また、有底円筒部に対する回動案内盤の抜け止めは、半円筒体の内側面を回動案内盤の円盤部の外面に当接して図られるものから、回動案内盤の中空軸の突端にネジ孔を螺設し、前記有底円筒部に突設される中空軸の挿通口に突端側を大径部とし、内方側を小径部とする段差部を設け、前記回動案内盤の中空軸をその突端が段差部より大径部に向けて僅かに突出する寸法に定め、該大径部に遊嵌される抜け止め座に開口されたネジ挿通孔にビスを挿通し、該ビスを回動案内盤の中空軸の突端に螺設した前記のネジ孔に螺合締結して有底円筒部に対して回動案内盤の抜け止めを図るなどである。
このほか、半円筒体に代えて箱体の底面と有底円筒部の内周に嵌着する円弧体にネジ螺合部などの回動機構を設けたものや、箱体の一部底面側を半円弧部として形成し、該半円弧部に回動機構を設けたものなども提供される。
【実施例】
【０００９】  本考案のＬＥＤ光源体Ａを実施例により説明すると、このものは図１に示すように、ネジ式口金１と、口金保持部２と、照明部３を構成する回動案内盤４とＬＥＤ基板５が内設される箱体６とから成る。口金保持部２は左方に突設する中空軸２ａにネジ式口金１が外嵌固定され、右方に一体の有底円筒部２ｂの底部から該中空軸２ａの突端に渡って挿通口２ｃを開口し、該挿通口２ｃには突端側を大径部とし、内方側を小径部とする段差部２ｄを配設し、有底円筒部２ｂの周面には中心角で略９０°に渡って所要幅（後述する止めネジを挿通できる幅）の長溝２ｅを貫設し、前記中空軸２ａの挿通口２ｃの下方には図２に示すように、ネジ式口金１の内部に連通する凹溝２ｆが設けられる。
次に、照明部３を構成する回動案内盤４を説明すると、このものは左方に前記有底円筒部２ｂの挿通口２ｃの小径部に内嵌する中空軸４ａを突設し、右方の円盤部４ｂの外径を有底円筒部２ｂの内周に遊嵌する寸法に形成するとともに、該円盤部４ｂの盤面には図５に示すように、中心より下方に所要幅の位置決め座４ｃを突設し、その下方には同幅のＵ状の連通口４ｄを開口して、前記中空軸４ａの内部に連通して成る。
一方、回動案内盤４の円盤部４ｂの盤面にビス４ｅで接合される箱体６は、円盤部４ｂの中心を通る水平面に上面を一致させ、外周を図６に示すように、有底円筒部２ｂの内周に案内される円弧面６ａとした平面視矩形状で、その前壁に設けたＵ溝６ｂを前記連通口４ｄに連通するとともに、前記位置決め座４ｃに嵌着させ、その内部にＬＥＤ基板５が、ネジ式口金１のネジ込み軸心と平行な水平面に対して、所要角度だけ前傾降下する傾斜姿勢で内設される。
このＬＥＤ基板５は図４に示すように、その基板５ａの傾斜面には５列に渡って各列に６個ずつＬＥＤ５ｂが配設され、その光軸を各垂直面５ｅ内に配列するとともに、基板５ａの下面にはＬＥＤ発光電気回路５ａｂが配設される。
ここで、口金保持部２に対して照明部３の姿勢を調節する回動機構７について説明すると、有底円筒部２ｂの内周に嵌着され、その内側面が前記回動案内盤４の円盤部４ｂの外面に当接され、その下端が箱体６の上面に着座される図３に示す半円筒体７ａと、該半円筒体７ａの軸心方向で、有底円筒部２ｂの長溝２ｅの中心に合致する部位に設けるネジ螺合部７ｂと、有底円筒部２ｂの外周円弧面に着座し、中心にネジ挿通孔７ｃａが貫設された押さえ座７ｃと、押さえ座７ｃの上面に係着される座金７ｄと、該座金７ｄから前記ネジ螺合部７ｂに螺着される止めネジ７ｅとから成り、ネジ螺合部７ｂは半円筒体７ａの上面から開口されるネジ挿通孔７ｂａと、半円筒体７ａの内面から上方のネジ挿通孔７ｂａに連通して内嵌接合されるナット７ｂｂとから成る。【００１０】  このようにして成る回動案内盤４にはその位置決め座４ｃを箱体６の前壁に設けたＵ溝６ｂに嵌着しつつ、該前壁を円盤部４ｂの外面に当接し、該円盤部４ｂに貫通したネジ挿通孔を前壁に螺設したネジ孔に合致させ、ビス４ｅにより箱体６を接合して照明部３を形成する。そして、箱体６に内設されたＬＥＤ基板５のＬＥＤ発光電気回路５ａｂの＋電極と−電極に接続された＋側リード線５ｃと−側リード線５ｄとを前記Ｕ溝６ｂから回動案内盤４の連通口４ｄに引き出し、一方の＋側リード線５ｃは回動案内盤４の中空軸４ａの内部を通して口金保持部２の中空軸２ａからネジ式口金１の中心部の＋電極に接続され、他方の−側リード線５ｄは回動案内盤４の連通口４ｄを経て口金保持部２の凹溝２ｆより中空軸２ａの外部へ引き出され、ネジ式口金１のネジ部の内周の−電極に接続される。
このようにして、＋側リード線５ｃがネジ式口金１の＋電極に接続され、−側リード線５ｄがネジ式口金１の−電極に接続され、−電極側の接続部が凹溝２ｆに案内されてネジ式口金１が口金保持部２の中空軸２ａに外嵌され、カシメ加工されて接続固定される。次いで、口金保持部２の有底円筒部２ｂの内周と箱体６の上面に案内されて半円筒体７ａが嵌着され、該有底円筒部２ｂの外周円弧面に押さえ座７ｃを着座させ、その上面に座金７ｄを係着し、止めネジ７ｅを該座金７ｄから半円筒体７ａのネジ螺合部７ｂに渡ってネジ込み締結して回動機構７が構成され、図７に示すように、本考案のＬＥＤ光源体Ａが組み立てられるものである。【００１１】  このようにして成るＬＥＤ光源体Ａは、主として漁船等の照明具として透明なカバー（図外）が被蓋されて図８に示すように、適宜に給電されるソケット８にネジ式口金１が螺着されて使用されるが、該ソケット８とネジ式口金１との締結姿勢が各照明具では区々であるから、その場合には、回動機構７の止めネジ７ｅを緩めて半円筒体７ａを介して箱体６と共に回動案内盤４を口金保持部２のネジ込み軸心を中心に回動させ、照明部３の各ＬＥＤ５ｂの光軸を所望の照射方向へ調節して止めネジ７ｅを締結し、その状態を強固に保持できるものである。
したがって、漁船のように激しく揺動する外力を受けても、回動機構７による強固な固定によってＬＥＤの照射方向がずれることなく、安定的な照明が確保できるものである。
なお、口金保持部２に対する回動案内盤４の抜け止め構造としては、前記した半円筒体７ａの内側面を回動案内盤４の円盤部４ｂの外面に当接し、口金保持部２の有底円筒部２ｂに貫設された長溝２ｅと止めネジ７ｅとの係合による構造に代えて、図９に示すように、回動案内盤４の中空軸４ａの突端にネジ孔４ａａを螺設し、有底円筒部２ｂに突設される中空軸２ａの段差部２ｄより前記中空軸４ａの突端を僅かに突出する寸法に定め、該段差部２ｄより突端側に設けた大径部に抜け止め座４ｆを遊嵌し、該抜け止め座４ｆにネジ挿通孔を開口してビス４ｅを挿通し、該ビス４ｅを前記ネジ孔４ａａに螺合締結して口金保持部２に対して回動案内盤４の抜け止めを図る構造も提供される。
このほか、箱体６の底部で有底円筒部２ｂの内周に嵌着される部位に半円弧部を形成し、該半円弧部に本実施例で示した回動機構７を設けたものなども提供され得る。
【産業上の利用可能性】
【００１２】  本考案のＬＥＤ光源体は、既設のソケットに対してネジ式口金で螺合される口金保持部において、照明部のＬＥＤの照射方向を略９０°の範囲で調節自在とする回動機構が、止めネジ１本で簡単確実に照明部の姿勢を固定できるから、激しい外力の加わる漁船の照明には極めて有用である。
【符号の説明】
【００１３】１  ネジ式口金
２  口金保持部
２ａ  中空軸
２ｂ  有底円筒部
２ｃ  挿通口
２ｄ  段差部
２ｅ  長溝
２ｆ  凹溝
３  照明部
４  回動案内盤
４ａ  中空軸
４ａａ  ネジ孔
４ｂ  円盤部
４ｃ  位置決め座
４ｄ  連通口
４ｅ  ビス
４ｆ  抜け止め座
５  ＬＥＤ基板
５ａ  基板
５ａｂ  ＬＥＤ発光電気回路
５ｂ  ＬＥＤ
５ｃ  ＋側リード線
５ｄ  −側リード線
５ｅ  垂直面
６  箱体
６ａ  円弧面
６ｂ  Ｕ溝
７  回動機構
７ａ  半円筒体
７ｂ  ネジ螺合部
７ｂａ  ネジ挿通孔
７ｂｂ  ナット
７ｃ  押さえ座
７ｃａ    ネジ挿通孔
７ｄ  座金
７ｅ  止めネジ
８  ソケット
Ａ  ＬＥＤ光源体
【図１】
0003169329.tif 000003
【図２】
0003169329.tif 000004
【図３】
0003169329.tif 000005
【図４】
0003169329.tif 000006
【図５】
0003169329.tif 000007
【図６】
0003169329.tif 000008
【図７】
0003169329.tif 000009
【図８】
0003169329.tif 000010
【図９】
0003169329.tif 000011